(57)【要約】【課題】冷蔵庫の特にクリスパケースに着目し、そのクリスパケースに創意工夫を施すことにより、クリスパケースに収容された貯蔵物の傷みを抑えるようにした冷蔵庫を提供する。【解決手段】本実施形態に係る冷蔵庫は、野菜室内に設けられるクリスパケースと、前記クリスパケースの内面に設けられる複数の傾斜面と、を備え、前記複数の傾斜面として、相互に長さが異なる長傾斜面と短傾斜面とを有する。【選択図】図２
2019027753.tif 000002
【特許請求の範囲】
【請求項１】
野菜室内に設けられるクリスパケースと、
前記クリスパケースの内面に設けられる複数の傾斜面と、
を備え、
前記複数の傾斜面として、相互に長さが異なる長傾斜面と短傾斜面とを有する冷蔵庫。
【請求項２】
前記短傾斜面に通気孔を備える請求項１に記載の冷蔵庫。
【請求項３】
前記クリスパケースは、取手部を備え、
前記通気孔は、前記取手部に最も近い前記短傾斜面に設けられている請求項２に記載の冷蔵庫。
【請求項４】
前記取手部に、前記通気孔を隠すためのブラインド加工が施されている請求項３に記載の冷蔵庫。
【請求項５】
前記取手部は、装飾部を備え、前記装飾部以外の部分に前記ブラインド加工が施されている請求項４に記載の冷蔵庫。
【請求項６】
前記クリスパケースの後側に湿度調整機能部を備え、
前記通気孔は、前記湿度調整機能部から最も遠い前記短傾斜面に設けられている請求項１から５の何れか１項に記載の冷蔵庫。
【請求項７】
前記クリスパケースの前部の下部に壁部を備え、
前記壁部は、表面に複数の傾斜面を備える請求項１から６の何れか１項に記載の冷蔵庫。
【請求項８】
前記クリスパケースの外面は、平坦面である請求項１から７の何れか１項に記載の冷蔵庫。
【請求項９】
前記クリスパケースの下方に発光部を備え、
前記クリスパケースは、前記発光部の上方に特定領域を備える請求項１から８の何れか１項に記載の冷蔵庫。
【請求項１０】
前記特定領域における前記傾斜面の長さは、前記特定領域以外の領域における前記傾斜面の長さよりも長くなっている請求項９に記載の冷蔵庫。
【発明の詳細な説明】
【技術分野】
【０００１】
本実施形態は、冷蔵庫に関する。
【背景技術】
【０００２】
冷蔵庫の野菜室は、当該野菜室を開閉する扉と、この扉の裏面に取り付けられた野菜ケースと、を備える。また、冷蔵庫の野菜室においては、野菜ケースの上部に、当該野菜ケースよりも小さいクリスパケースを備える構成が考えられている（例えば、特許文献１参照）。
【先行技術文献】
【特許文献】
【０００３】
【特許文献１】特開２００８−４５８４５号公報
【発明の概要】
【発明が解決しようとする課題】
【０００４】
冷蔵庫においては、貯蔵物を傷めることなく良好に貯蔵するための技術の追求が求められる。
【０００５】
本実施形態は、冷蔵庫の特にクリスパケースに着目し、そのクリスパケースに創意工夫を施すことにより、クリスパケースに収容された貯蔵物の傷みを抑えるようにした冷蔵庫を提供する。
【課題を解決するための手段】
【０００６】
本実施形態に係る冷蔵庫は、クリスパケース、傾斜面を備える。クリスパケースは、野菜室内に設けられる。傾斜面は、前記クリスパケースの内面に複数設けられる。そして、前記複数の傾斜面として、相互に長さが異なる長傾斜面と短傾斜面とを有する。
【図面の簡単な説明】
【０００７】
【図１】本実施形態に係る冷蔵庫の構成例を概略的に示す縦断側面図
【図２】野菜ケースおよびクリスパケースの構成例を概略的に示す縦断側面図
【図３】野菜ケースおよびクリスパケースの構成例を概略的に示す斜視図
【図４】クリスパケースの底壁の構成例を概略的に示す縦断側面図
【図５】クリスパケースの前部およびその周辺部分の構成例を概略的に示す縦断側面図
【図６】変形例に係る野菜ケースおよびクリスパケースの構成例を概略的に示す斜視図
【図７】変形例に係る野菜ケースおよびクリスパケースの構成例を概略的に示す縦断側面図
【発明を実施するための形態】
【０００８】
以下、冷蔵庫に係る一実施形態について図面を参照しながら説明する。図１に例示する冷蔵庫１０は、その外郭を構成する断熱箱体１１の内部に、何れも貯蔵室の一例である冷蔵室１２、野菜室１３、冷凍室１４、製氷室１５などの複数種類の貯蔵室を備えている。冷蔵室１２、野菜室１３、冷凍室１４、製氷室１５は、相互に上下に隣接した状態で区分されている。なお、本実施形態では、製氷室１５は、野菜室１３の下方であって、冷蔵庫１０の正面側から見て左側となる部分に設けられている。そして、この製氷室１５の右横には、図示しない小冷凍室が設けられている。冷蔵庫１０は、図示しない周知の冷凍サイクルを備えており、この冷凍サイクルにより生成される冷気が、図示しないファンによる送風作用により各貯蔵室内に供給されるようになっている。
【０００９】
野菜室１３内には、当該野菜室１３内に冷気を供給する冷気供給口１６が設けられている。冷気供給口１６は、冷気経路の一部を構成するものであり、この場合、野菜室１３の後壁部の上部に設けられている。また、冷気供給口１６には、ダンパ１７が設けられている。ダンパ１７は、回動可能に設けられており、その回動量が調整されることにより、冷気供給口１６の開度が制御されるようになっている。ダンパ１７による冷気供給口１６の開度が大きくなるほど野菜室１３内に供給される冷気の量は多くなり、逆に、ダンパ１７による冷気供給口１６の開度が小さくなるほど野菜室１３内に供給される冷気の量は少なくなる。
【００１０】
また、野菜室１３の内部には、例えば不透明なプラスチック材料により形成される野菜ケース１８が設けられている。野菜ケース１８は、野菜室１３を開閉する引き出し式の野菜室扉１９の裏面に固定されており、これにより、野菜ケース１８は、野菜室扉１９の開閉に伴い野菜室１３から出し入れされるようになっている。
【００１１】
野菜ケース１８の内部には、例えば透明なプラスチック材料により形成される仕切り壁２０が設けられている。仕切り壁２０は、野菜ケース１８の内部を、複数の収容部、この場合、メイン収容部２１およびサブ収容部２２に区画する。メイン収容部２１は、仕切り壁２０の後側に形成される空間であり、野菜ケース１８の後部を含む大部分を占める。サブ収容部２２は、仕切り壁２０の前側つまり野菜室扉１９側に形成される空間であり、野菜ケース１８の一部、この場合、前部を占める。メイン収容部２１の容積は、サブ収容部２２の容積よりも大きくなっている。
【００１２】
野菜ケース１８の上部には、例えば透明なプラスチック材料により形成されるクリスパケース３０が着脱可能に取り付けられている。クリスパケース３０は、仕切り壁２０と同じプラスチック材料により形成してもよいし、異なるプラスチック材料により形成してもよい。この場合、クリスパケース３０は、野菜ケース１８のメイン収容部２１の上部に着脱可能かつ前後に移動可能に載置されている。クリスパケース３０は、野菜ケース１８よりも小さい薄底の収容ケースとして機能するとともに、野菜ケース１８の特にメイン収容部２１の上蓋としても機能する。本実施形態では、クリスパケース３０は、仕切り壁２０と同じプラスチック材料により形成されている。
【００１３】
また、クリスパケース３０は、その前後方向の寸法が野菜ケース１８の前後方向の寸法よりも小さくなっている。これにより、野菜ケース１８の上部にクリスパケース３０が載置された状態において、野菜ケース１８の後部、この場合、メイン収容部２１の後部の上方には、クリスパケース３０により塞がれない開放部３１が形成される。
【００１４】
そして、野菜ケース１８は、この開放部３１に、透湿シートユニット３２を備えている。透湿シートユニット３２は、開放部３１に着脱可能に取り付けられている。透湿シートユニット３２は、湿度調整機能部の一例であり、長尺な矩形薄板状の本体ケースの内部に透湿シートを備えた構成である。本体ケースは、例えばガラリ構造により構成される通気孔を備えている。透湿シートは、例えば不織布と多孔質フィルムからなる２層構造となっており、空気中の水分つまり湿気を透過可能となっている。透湿シートユニット３２は、野菜ケース１８の外部から内部に湿気を取り込むことにより、また、野菜ケース１８の内部から外部に湿気を排出することにより、野菜ケース１８内、特にメイン収容部２１内の湿度を調整する。
【００１５】
次に、上述したクリスパケース３０の構成例について、さらに詳細に説明する。図２に例示するように、クリスパケース３０の外面、この場合、少なくとも底壁の下面は、平坦面となっている。一方、図２および図３に例示するように、クリスパケース３０の内面、この場合、少なくとも底壁の上面には、複数の溝部４０が設けられている。溝部４０は、この場合、クリスパケース３０の底壁内面において、冷蔵庫１０の左右方向に沿って直線状に延びている。
【００１６】
図４に例示するように、溝部４０は、相互に長さが異なる２種類の傾斜面、即ち、長傾斜面４１と短傾斜面４２を組み合わせることにより形成されている。長傾斜面４１は、所定の長さ寸法を有する傾斜面であり、溝部４０の前側の面を形成する。長傾斜面４１の長さ寸法は、適宜変更して設定することができる。また、長傾斜面４１の法線方向は、冷蔵庫１０の後部上方に指向している。一方、短傾斜面４２は、長傾斜面４１よりも短い長さ寸法を有する傾斜面であり、溝部４０の後側の面を形成する。短傾斜面４２の長さ寸法は、長傾斜面４１よりも短い範囲において適宜変更して設定することができる。また、短傾斜面４２の法線方向は、冷蔵庫１０の前部上方に指向している。よって、長傾斜面４１の法線と短傾斜面４２の法線とは、溝部４０の上方において交差するようになっている。
【００１７】
また、長傾斜面４１の傾斜角度は、水平面に対して緩やかであり、少なくとも、水平面から例えば３０°の角度範囲以内で設定するとよい。一方、短傾斜面４２の傾斜角度は、水平面に対して急であり、少なくとも、水平面から例えば３０°以上９０°以下の角度範囲以内で設定するとよい。
【００１８】
クリスパケース３０の底壁の上面において、長傾斜面４１および短傾斜面４２は、冷蔵庫１０の前後方向に沿って交互に配列されている。即ち、前後方向に隣り合う２つの長傾斜面４１の間に短傾斜面４２が設けられ、また、前後方向に隣り合う２つの短傾斜面４２の間に長傾斜面４１が設けられている。即ち、前後方向に隣り合う２つの長傾斜面４１は短傾斜面４２により分断されており、前後方向に隣り合う２つの短傾斜面４２は長傾斜面４１により分断されている。
【００１９】
クリスパケース３０の底壁の縦断側面は、複数の長傾斜面４１および短傾斜面４２が交互に連なることにより、山部および谷部が交互に連続する山脈状の断面となっている。そして、溝部４０は、その谷部に対応して設けられている。溝部４０は、長傾斜面４１の下部および短傾斜面４２の下部により形成される下方に窪む断面Ｖ字状の谷部となっている。
【００２０】
また、クリスパケース３０の前部には、取手部５０が設けられている。この場合、取手部５０は、クリスパケース３０の前壁の上端部から前方に下降傾斜するように延出されている。また、取手部５０の板厚は、クリスパケース３０の他の部分、例えば底壁、側壁、後壁よりも肉厚となるように構成されている。取手部５０の板厚が他の部分よりも肉厚となっていることにより、クリスパケース３０は、そのほぼ全体が同じ透明なプラスチック材料により形成されているにも関わらず、当該取手部５０の色が濃く見えるようになっている。
【００２１】
図５に例示するように、クリスパケース３０の底壁の上面に設けられる複数の短傾斜面４２のうち最も前側に設けられる短傾斜面４２Ｆは、他の短傾斜面４２よりも長さ寸法が長くなっている。以下、この最も前側に設けられる短傾斜面４２Ｆを、便宜上、最前短傾斜面４２Ｆと称する。この最前短傾斜面４２Ｆは、クリスパケース３０の取手部５０に最も近い短傾斜面であり、また、クリスパケース３０の後側に設けられる透湿シートユニット３２から最も遠い短傾斜面でもある。
【００２２】
そして、この最前短傾斜面４２Ｆには、複数の通気孔６０が設けられている。通気孔６０は、最前短傾斜面４２Ｆの長手方向、この場合、クリスパケース３０の左右方向に沿う長尺な矩形の開口となっており、最前短傾斜面４２Ｆの長手方向に沿って、直線状に、且つ、断続的に配列されている。なお、通気孔６０の形状、大きさ、数などは、適宜変更して実施することができる。
【００２３】
クリスパケース３０を前側の上方から見た場合、ユーザの視線の先において、取手部５０は、最前短傾斜面４２Ｆつまりクリスパケース３０の底壁の最前部に設けられている通気孔６０よりも手前に存在した状態となる。ここで、上述した通り、取手部５０は、その肉厚が他の部分よりも厚くなっていることから、他の部分よりも色が濃く見えるようになっている。よって、通気孔６０は、濃く見える取手部５０により覆われた状態となり、ユーザに視認されにくくなる。即ち、肉厚が厚くなるように加工された取手部５０は、通気孔６０を隠すためのブラインド加工が施された構成となっている。
【００２４】
また、クリスパケース３０は、側部通気孔７０を備えている。側部通気孔７０は、クリスパケース３０の底壁の左右の両端部であって、少なくとも、クリスパケース３０の前後方向の中央部よりも前側の部分に複数設けられている。なお、側部通気孔７０は、クリスパケース３０の底壁の左右の両端部から左右の側壁の下部にかけて連続した開口となっている。
【００２５】
仕切り壁２０は、クリスパケース３０の前部の下部に設けられる壁部の一例である。仕切り壁２０の裏面つまり野菜ケース１８内に取り付けられた状態で後側となる面は、平坦面となっている。一方、仕切り壁２０の表面つまり野菜ケース１８内に取り付けられた状態で前側となる面には、クリスパケース３０と同様に、複数の溝部１４０が設けられている。溝部１４０も、この場合、仕切り壁２０の表面において、冷蔵庫１０の左右方向に沿って直線状に延びている。溝部１４０は、相互に長さが異なる２種類の傾斜面、即ち、長傾斜面１４１と短傾斜面１４２を組み合わせることにより形成されている。
【００２６】
長傾斜面１４１は、所定の長さ寸法を有する傾斜面であり、溝部１４０の上側の面を形成する。長傾斜面１４１の長さ寸法は、適宜変更して設定することができる。また、長傾斜面１４１の法線方向は、冷蔵庫１０の前部下方に指向している。一方、短傾斜面１４２は、長傾斜面１４１よりも短い長さ寸法を有する傾斜面であり、溝部１４０の下側の面を形成する。短傾斜面１４２の長さ寸法は、長傾斜面１４１よりも短い範囲において適宜変更して設定することができる。また、短傾斜面１４２の法線方向は、冷蔵庫１０の前部上方に指向している。よって、長傾斜面１４１の法線と短傾斜面１４２の法線とは、溝部１４０の前方において交差するようになっている。
【００２７】
また、長傾斜面１４１の傾斜角度は、垂直面に対して緩やかであり、少なくとも、垂直面から例えば３０°の角度範囲以内で設定するとよい。一方、短傾斜面１４２の傾斜角度は、垂直面に対して急であり、少なくとも、垂直面から例えば３０°以上９０°以下の角度範囲以内で設定するとよい。
【００２８】
仕切り壁２０の表面において、長傾斜面１４１および短傾斜面１４２は、冷蔵庫１０の上下方向に沿って交互に配列されている。即ち、上下方向に隣り合う２つの長傾斜面１４１の間に短傾斜面１４２が設けられ、また、上下方向に隣り合う２つの短傾斜面１４２の間に長傾斜面１４１が設けられている。即ち、上下方向に隣り合う２つの長傾斜面１４１は短傾斜面１４２により分断されており、上下方向に隣り合う２つの短傾斜面１４２は長傾斜面４１により分断されている。
【００２９】
仕切り壁２０の縦断側面は、複数の長傾斜面１４１および短傾斜面１４２が交互に連なることにより、山部および谷部が交互に連続する山脈状の断面となっている。そして、溝部１４０は、その谷部に対応して設けられている。溝部１４０は、長傾斜面１４１の下部および短傾斜面１４２の上部により形成される後方に窪む断面Ｖ字状の谷部となっている。
【００３０】
本実施形態に係る冷蔵庫１０によれば、クリスパケース３０の内面、この場合、上面に、相互に長さが異なる２つの傾斜面４１，４２により形成される溝部４０が形成されている。この構成によれば、図４に例示するように、クリスパケース３０に収容される貯蔵物Ｖを、長傾斜面４１上では面接触により、山部の稜線においては線接触により支持することができる。即ち、貯蔵物Ｖを、点接触ではなく、ある程度の幅や面積を有する接触態様により支持することができるため、貯蔵物Ｖに加わる荷重を分散させた状態で保存することができ、貯蔵物Ｖの傷み、特に貯蔵物Ｖの下部の傷みを抑えることができる。
【００３１】
また、貯蔵物Ｖの下方において、貯蔵物Ｖの下面と溝部４０との間に空間を確保することができる。よって、貯蔵物Ｖの下方に冷気が流れる冷気スペースを確保することができ、貯蔵物Ｖの傷み、特に貯蔵物Ｖの下部の傷みを抑えることができる。
【００３２】
また、溝部４０を構成する傾斜面４１，４２において光が反射することにより、キラキラとした感じの外観を形成することができ、デザイン性の向上を図ることができる。また、溝部１４０を構成する傾斜面１４１，１４２において光が反射することにより、キラキラとした感じの外観を形成することができ、デザイン性の向上を図ることができる。特に、本実施形態では、クリスパケース３０の底壁の内面に設けられる短傾斜面４２と、仕切り壁２０の表面に設けられる短傾斜面１４２とが、何れも冷蔵庫１０の前部上方に向かって指向している。従って、クリスパケース３０の底壁の内面から仕切り壁２０の表面にわたって、短傾斜面４２および短傾斜面１４２における光の反射の態様に統一感を持たせることができ、光の反射による美感を一層向上することができる。
【００３３】
そして、本実施形態によれば、溝部４０を構成する短傾斜面４２に通気孔６０を設けた。この構成によれば、野菜室１３が野菜室扉１９により閉じられた状態において、メイン収容部２１内が過度に密閉された状態となることを回避することができ、メイン収容部２１内における結露の発生を抑制することができる。
【００３４】
さらに、本実施形態によれば、溝部４０を構成する長傾斜面４１および短傾斜面４２のうちの短傾斜面４２に通気孔６０を設けるようにした。この構成によれば、面積の広い長傾斜面４１に通気孔６０を設ける構成に比べ、より面積の狭い短傾斜面４２に通気孔６０を設けることで当該通気孔６０を目立ちにくくすることができ、デザイン性の向上を図ることができる。
【００３５】
さらに、本実施形態によれば、通気孔６０は、クリスパケース３０の取手部５０に最も近い最前短傾斜面４２Ｆに設けられている。この構成によれば、通気孔６０を取手部５０により隠すことができ、当該通気孔６０を目立ちにくくしてデザイン性の向上を図るとともに、通気孔６０による通気性能を十分に発揮させることができる。また、通気孔６０を短傾斜面４２、この場合、クリスパケース３０の前側の隅部に位置する最前短傾斜面４２Ｆに設けたことから、仮に貯蔵物Ｖがクリスパケース３０内の前側の隅部に収容されたとしても、その貯蔵物Ｖによって通気孔６０が閉塞されることを効果的に抑制できる。この結果、通気孔６０を介したメイン収容部２１内外の通気性を十分に確保することができ、メイン収容部２１内における結露の発生をより確実に抑制することができる。
【００３６】
さらに、本実施形態によれば、取手部５０は、他の部分よりも肉厚とすることで色が濃く見えるブラインド加工が施されている。これにより、通気孔６０を一層目立ちにくくすることができ、デザイン性のさらなる向上を図ることができる。
【００３７】
さらに、本実施形態によれば、通気孔６０は、透湿シートユニット３２から最も遠い最前短傾斜面４２Ｆに設けられている。この構成によれば、透湿シートユニット３２によって湿度が調整された野菜ケース１８内の空気、特に、透湿シートユニット３２が設けられている野菜ケース１８内の後部の空気が通気孔６０を通して野菜ケース１８の外部に流出しにくくすることができ、野菜ケース１８内の湿度を良好な状態で維持することができる。
【００３８】
さらに、本実施形態によれば、クリスパケース３０の前部の下部に設けられる仕切り壁２０の表面にも複数の傾斜面１４１，１４２を設けた。この構成によれば、クリスパケース３０の底壁から仕切り壁２０に至る部位、つまり、野菜室１３内においてユーザにより視認されやすい部位に複数の溝部４０，１４０からなる統一感のある外観を形成することができ、デザイン性の一層の向上を図ることができる。
【００３９】
さらに、本実施形態によれば、クリスパケース３０の外面、この場合、少なくとも底壁の下面は、平坦面となっている。即ち、クリスパケース３０の外面のうちメイン収容部２１に対向する面を平坦面とした。これにより、クリスパケース３０の下面により、メイン収容部２１内の貯蔵物が傷付くことを回避することができる。特に、クリスパケース３０は、野菜ケース１８の上部において前後に移動可能であるから、クリスパケース３０が前後方向に移動する際にメイン収容部２１内の貯蔵物が傷付くことを回避することができる。
【００４０】
また、本実施形態によれば、仕切り壁２０の裏面、即ち、メイン収容部２１に対向する面を平坦面とした。これにより、仕切り壁２０の裏面により、メイン収容部２１内の貯蔵物が傷付くことを回避することができる。
【００４１】
なお、本実施形態は、上述した実施形態に限定されるものではなく、例えば次のように拡張または変形することができる。例えば、溝部４０は、クリスパケース３０の底壁に限らず、前壁、後壁、側壁などに設けてもよい。また、溝部４０は、前側が短傾斜面、後側が長傾斜面であってもよい。また、溝部４０は、クリスパケース３０の左右方向に延びるものに限られず、例えば、クリスパケース３０の前後方向に延びる構成としてもよいし、クリスパケース３０の左右方向あるいは前後方向に対して傾斜する方向に延びる構成としてもよい。また、本実施形態は、野菜室１３以外の貯蔵室、例えば冷蔵室１２、冷凍室１４、製氷室などの貯蔵室の内部に設けられるケースにも適用することができる。
【００４２】
また、溝部１４０は、上側が短傾斜面、下側が長傾斜面であってもよい。また、溝部１４０は、仕切り壁２０の左右方向に延びるものに限られず、例えば、仕切り壁２０の前後方向に延びる構成としてもよいし、仕切り壁２０の左右方向あるいは上下方向に対して傾斜する方向に延びる構成としてもよい。
【００４３】
また、クリスパケース３０は、平坦部を備える構成としてもよい。平坦部は、非溝部の一例であり、この平坦部の上面においては、溝部４０、換言すれば、長傾斜面４１および短傾斜面４２が設けられておらず、平坦面が形成されている。この平坦部の大きさは、適宜変更して設定することができるが、少なくとも、人の手指が挿入できる程度の寸法を確保するように構成するとよい。また、平坦部は、クリスパケース３０の内部において野菜屑などの異物が残り易い部分、例えば、クリスパケース３０内の隅部に設けるとよい。
【００４４】
また、図６に例示するように、取手部５０は、装飾部８０を備える構成としてもよい。この装飾部８０には、例えば、白地の部材に高級感を表す文字やロゴなどが設けられる。そして、取手部５０は、この装飾部８０以外の部分にブラインド加工を施す構成としてもよい。即ち、本実施形態では、取手部５０は、他の部分よりも肉厚に設けることで色が濃く見えるブラインド加工が施されている。そのため、色が濃く見える取手部５０において装飾部８０を目立ち易くすることができる。特に、取手部５０を含むクリスパケース３０を例えば黒系の透明な材料で形成し、これに対して、装飾部８０を白系の不透明な材料で形成することにより、黒地の取手部５０において白地の装飾部８０が際立つようになり、一層高級感を醸成することができる。
【００４５】
また、図７に例示するように、冷蔵庫１０は、クリスパケース３０の下方、この場合、野菜ケース１８の後壁に発光部９０を備える構成としてもよい。そして、クリスパケース３０は、この発光部９０の上方、この場合、前部の上方に特定領域Ｒを備える構成とするとよい。そして、この特定領域Ｒにおいては、傾斜面、この場合、長傾斜面の長さを、特定領域Ｒ以外の領域における傾斜面、この場合、長傾斜面の長さよりも長くするとよい。この構成によれば、発光部９０が発する光Ｌが特定領域Ｒにおいて、屈折などせずに透過し易くなり、発光部９０による発光を視認しやすくすることができる。さらに、例えば、特定領域Ｒにおいては、傾斜部を設けず、平坦な透明窓とすることにより、発光部９０による発光を一層視認しやすくすることができる。
【００４６】
本実施形態に係る冷蔵庫は、野菜室内に設けられるクリスパケースと、前記クリスパケースの内面に設けられる複数の傾斜面と、を備え、前記複数の傾斜面として、相互に長さが異なる長傾斜面と短傾斜面とを有する。この構成によれば、クリスパケースに収容される貯蔵物を、点接触ではなく、ある程度の幅や面積を有する接触態様により支持することができ、貯蔵物の傷みを抑えることができる。
【００４７】
以上、本発明の一実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００４８】
図面中、１０は冷蔵庫、１３は野菜室、２０は仕切り壁（壁部）、３０はクリスパケース、３２は透湿シートユニット（湿度調整機能部）、４１，１４１は長傾斜面（傾斜面）、４２，１４２は短傾斜面（傾斜面）、５０は取手部、６０は通気孔、８０は装飾部、９０は発光部を示す。
【図１】
2019027753.tif 000003
【図２】
2019027753.tif 000004
【図３】
2019027753.tif 000005
【図４】
2019027753.tif 000006
【図５】
2019027753.tif 000007
【図６】
2019027753.tif 000008
【図７】
2019027753.tif 000009
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
野菜室内に設けられる収容ケースと、
前記収容ケースの内面に設けられる複数の傾斜面と、
を備え、
前記複数の傾斜面として、相互に長さが異なる長傾斜面と短傾斜面とを有する冷蔵庫。
【請求項２】
前記短傾斜面に通気孔を備える請求項１に記載の冷蔵庫。
【請求項３】
前記収容ケースは、取手部を備え、
前記通気孔は、前記取手部に最も近い前記短傾斜面に設けられている請求項２に記載の冷蔵庫。
【請求項４】
前記取手部に、前記通気孔を隠すためのブラインド加工が施されている請求項３に記載の冷蔵庫。
【請求項５】
前記取手部は、装飾部を備え、前記装飾部以外の部分に前記ブラインド加工が施されている請求項４に記載の冷蔵庫。
【請求項６】
前記収容ケースの後側に湿度調整機能部を備え、
前記通気孔は、前記湿度調整機能部から最も遠い前記短傾斜面に設けられている請求項１から５の何れか１項に記載の冷蔵庫。
【請求項７】
前記収容ケースの前部の下部に壁部を備え、
前記壁部は、表面に複数の傾斜面を備える請求項１から６の何れか１項に記載の冷蔵庫。
【請求項８】
前記収容ケースの外面は、平坦面である請求項１から７の何れか１項に記載の冷蔵庫。
【請求項９】
前記収容ケースの下方に発光部を備え、
前記収容ケースは、前記発光部の上方に特定領域を備える請求項１から８の何れか１項に記載の冷蔵庫。
【請求項１０】
前記特定領域における前記傾斜面の長さは、前記特定領域以外の領域における前記傾斜面の長さよりも長くなっている請求項９に記載の冷蔵庫。
【手続補正２】
【補正対象書類名】明細書
【補正対象項目名】０００５
【補正方法】変更
【補正の内容】
【０００５】
本実施形態は、冷蔵庫の収容ケースに創意工夫を施すことにより、収容ケースに収容された貯蔵物の傷みを抑えるようにした冷蔵庫を提供する。
【手続補正３】
【補正対象書類名】明細書
【補正対象項目名】０００６
【補正方法】変更
【補正の内容】
【０００６】
本実施形態に係る冷蔵庫は、収容ケース、傾斜面を備える。収容ケースは、野菜室内に設けられる。傾斜面は、前記収容ケースの内面に複数設けられる。そして、前記複数の傾斜面として、相互に長さが異なる長傾斜面と短傾斜面とを有する。